(57)【特許請求の範囲】
【請求項１】
感光ドラムに隣接して配置した固定枠で、露光ヘッドが前記感光ドラムに対して近接位置と離間位置との間を変位できるように支持されており、
前記露光ヘッドを、離間位置と近接位置との間で移動操作するヘッド移動構造が設けられており、
前記ヘッド移動構造が、前記固定枠で前後にスライド可能に支持されるスライド枠と、
前記固定枠でスライド枠の前後のスライド方向と交差する向きへスライド可能に支持されて、前記露光ヘッドを支持するヘッド支持枠と、
前記スライド枠と前記ヘッド支持枠との間に設けられて、前記スライド枠の前後方向のスライド動作を、前記露光ヘッドの離間位置と近接位置との間の移動動作に変換するカム構造と、
前記スライド枠をスライド操作する操作体とで構成されており、
前記操作体は、画像形成装置に着脱されるトナー容器であり、
前記カム構造は、前記スライド枠に突設される操作カムと、前記ヘッド支持枠に突設される受動カムとで構成されており、
前記トナー容器の画像形成装置に対する着脱動作に連動して、前記スライド枠を前後方向にスライド操作することにより、前記操作カムと前記受動カムとの接触位置を変更させて、前記露光ヘッドを離間位置と近接位置との間で移動操作できることを特徴とする画像形成装置。
【請求項２】
前記露光ヘッドが、前記固定枠と前記ヘッド支持枠との間に配置した第１ばねで離間位置へ向かって移動付勢されており、
前記スライド枠が、前記固定枠と前記スライド枠との間に配置した第２ばねで前記操作体へ向かって移動付勢されており、
前記スライド枠に対する前記操作体の操作力が開放された状態において、前記スライド枠の受動部が前記操作体の装着領域へ進出している請求項１に記載の画像形成装置。
【請求項３】
前記露光ヘッドが、レンズアレイとＬＥＤ光源と、これら両者を支持するヘッドベースで構成されて、前記ヘッドベースが前記ヘッド支持枠の前記感光ドラムとの対向面において支持されており、
前記感光ドラムを支持するドラム支持枠と、前記ヘッドベースとの対向面に、互いに係合して、近接位置における前記露光ヘッドを前記感光ドラムに対して位置決めする位置決め構造が設けてある請求項１又は２に記載の画像形成装置。
【請求項４】
前記トナー容器と、前記トナー容器を収容するシャーシとの間に、前記トナー容器の装填状態を保持する保持構造が設けられており、
前記保持構造が、前記トナー容器の側に設けられる第１係合体と、前記シャーシの側に設けられる第２係合体とで構成されており、
前記第１係合体と前記第２係合体とのいずれか一方が、他方に対して弾性変形しながら係脱できる請求項１乃至３のいずれかに記載の画像形成装置。  
【発明の詳細な説明】
【技術分野】
【０００１】
本発明は、感光ドラムに潜像を形成するための露光ヘッドを備えている画像形成装置に関する。
【背景技術】
【０００２】
本発明の画像形成装置に関して、前部ドアの開閉動作を利用して、露光ヘッドを感光ドラムに対して離間位置から近接位置へ移動させるようにした画像形成装置が特許文献１に公知である。そこでは、露光ヘッドを枠体で感光ドラムに対して近接ないし離間可能に支持し、ばねで離間位置へ向かって付勢している。枠体には、露光ヘッドをばねの付勢力に抗して移動する操作レバーが設けられており、この操作レバーを前部ドアの開閉動作を利用して、連動構造を介して露光ヘッドを傾動操作している。連動構造は、前部ドアの内面に設けられる操作突起と、操作突起で垂直軸回りに揺動操作される動作アームと、動作アームの揺動動作を操作レバーに伝えるワイヤー、およびワイヤーを変向しながら案内する変向プーリなどで構成されている。
【先行技術文献】
【特許文献】
【０００３】
【特許文献１】特開２００６−１８１２７号公報（段落番号００２８、図６）
【発明の概要】
【発明が解決しようとする課題】
【０００４】
特許文献１の移動構造によれば、前部ドアを開放する動作に連動して、露光ヘッドを感光ドラムから遠ざかる離間位置に移動させることにより、現像ユニットまたは感光ドラムから飛散したトナーが、露光ヘッドの発光面に付着することを解消できる。また、前部ドアを閉じ操作するのに連動して露光ヘッドを近接位置へ復帰できるので、機器の交換後に露光ヘッドを手動で近接位置へ戻す手間を省くことができる。しかし、露光ヘッドを操作するための構造として、操作レバーと前部ドアとの間に、操作突起、動作アーム、ワイヤー、およびガイドプーリなどを設ける必要があるため、全体構造が煩雑で部品点数が多く、コストが嵩むのを避けられない。また、露光ヘッド、および現像器の周辺に先の各部材を配置するスペースを確保する必要がある。
【０００５】
本発明の目的は、露光ヘッドを近接位置と離間位置との間で移動操作するヘッド移動構造を簡素化し、そのコストを削減できる画像形成装置を提供することにある。
【課題を解決するための手段】
【０００６】
本発明に係る画像形成装置では、図１に示すように、感光ドラム９に隣接して配置した固定枠２１で、露光ヘッド１０が感光ドラム９に対して近接位置と離間位置との間を変位できるように支持されている。また、露光ヘッド１０を、離間位置と近接位置との間で移動操作するヘッド移動構造が設けられている。ヘッド移動構造は、固定枠２１で前後にスライド可能に支持されるスライド枠２２と、固定枠２１でスライド枠２２のスライド方向と交差する向きへスライド可能に支持されるヘッド支持枠２３を備えている。このヘッド支持枠２３に露光ヘッド１０が支持されている。さらに、ヘッド移動構造は、スライド枠２２とヘッド支持枠２３との間に設けられて、スライド枠２２の前後方向のスライド動作を、露光ヘッド１０の離間位置と近接位置との間の移動動作に変換するカム構造と、スライド枠２２をスライド操作する操作体２７を備えている。前記操作体２７は、画像形成装置に着脱されるトナー容器１３であり、前記カム構造は、前記スライド枠２２に突設される操作カム４５と、前記ヘッド支持枠２３に突設される受動カム４６とで構成されている。前記トナー容器１３の画像形成装置に対する着脱動作に連動して、前記スライド枠２２を前後方向にスライド操作することにより、前記操作カム４５と前記受動カム４６との接触位置を変更させて、露光ヘッド１０を離間位置と近接位置との間で移動操作できることを特徴とする。
【０００９】
図１に示すように露光ヘッド１０は、固定枠２１とヘッド支持枠２３との間に配置した第１ばね３１で離間位置へ向かって移動付勢する。スライド枠２２は、固定枠２１とスライド枠２２との間に配置した第２ばね４２で操作体２７へ向かって移動付勢する。スライド枠２２に対する操作体２７の操作力が開放された状態において、スライド枠２２の受動部４３を操作体２７の装着領域へ進出させる。
【００１０】
露光ヘッド１０は、レンズアレイ３３とＬＥＤ光源３４と、これら両者３３・３４を支持するヘッドベース３５で構成する（図５参照）。ヘッドベース３５は、ヘッド支持枠２３の感光ドラム９との対向面において支持する。図７に示すように、感光ドラム９を支持するドラム支持枠４８とヘッドベース３５との対向面に、互いに係合して、近接位置における露光ヘッド１０を感光ドラム９に対して位置決めする位置決め構造を設ける。
【００１１】
トナー容器１３と、トナー容器１３を収容するシャーシ２０との間に、トナー容器１３の装填状態を保持する保持構造を設ける。図９に示すように保持構造は、トナー容器１３の側に設けられる第１係合体６０と、シャーシ２０の側に設けられる第２係合体６１とで構成する。第１係合体６０と第２係合体６１とのいずれか一方は、他方に対して弾性変形しながら係脱できるようにする。
【発明の効果】
【００１２】
本発明においては、固定枠２１と、固定枠２１で互いに交差する向きへスライド可能に支持されるスライド枠２２、ヘッド支持枠２３と、両枠２２・２３の間に設けられるカム構造と、スライド枠２２をスライド操作する操作体２７などでヘッド移動構造を構成した。このように、スライド枠２２とヘッド支持枠２３との間の動作変換をカム構造で行うヘッド移動構造によれば、従来のヘッド移動構造に比べて、構成部品数を削減して全体構造を簡素化できるので、ヘッド移動構造の製造に要するコストを削減できる。また、複数のレバー、ワイヤー、および変向プーリなどで動作変換を行う従来構造に比べて、動作変換構造を簡素化することができる。スライド枠２２、ヘッド支持枠２３、カム構造などを固定枠２１に集約する状態で配置するので、ヘッド移動構造をコンパクトにまとめることができ、本体部１の内部においてヘッド移動構造が占める空間量を小さくすることができる。
【００１３】
トナー容器１３を操作体２７として利用するヘッド移動構造によれば、トナー容器１３を着脱する動作に連動してスライド枠２２を前後にスライドさせて、露光ヘッド１０を離間位置と近接位置との間で自動的に移動操作できる。従って、トナー容器１３を交換したのちにユーザーが手動で露光ヘッド１０の位置調整を行なう必要がなく、トナー容器１３を交換する際のユーザーの手間を軽減できる。トナー容器１３の装填操作は、ユーザーが視覚的に操作漏れを認識できるので、トナー容器１３の装填操作に連動して露光ヘッド１０を移動させることにより、トナー容器１３の装填および露光ヘッド１０の移動に係る操作漏れを併せて防止できる。
【００１４】
ドア６を操作体２７として利用するヘッド移動構造によれば、ドア６の開閉動作に連動してスライドするスライド枠２２で、露光ヘッド１０を離間位置と近接位置との間で自動的に移動操作できる。また、一見するだけで開閉状態を明確に判別できるドア６をヘッド移動構造の操作源とするので、勘違い、あるいは思い込みによって、露光ヘッド１０が離間位置に位置した状態のままで放置されるのを解消して、画像形成装置の誤使用を防止できる。
【００１５】
露光ヘッド１０が第１ばね３１で離間位置へ向かって移動付勢されていると、スライド枠２２に対する操作体２７の操作力が開放された状態において、露光ヘッド１０を近接位置から離間位置へ復帰移動することができる。また、スライド枠２２が第２ばね４２で操作体２７へ向かって移動付勢されていると、スライド枠２２に対する操作体２７の操作力が開放された状態において、スライド枠２２の受動部４３を操作体２７の装着領域へ進出移動させて、待機状態に保持できる。従って、本体部１の内部のメンテナンスを行い、あるいはトナー容器１３を交換するような場合に、ユーザーが手動でスライド枠２２を待機状態に切換える手間を省き、あるいは露光ヘッド１０を手動で離間位置へ移動する手間を省いて作業負担を軽減できる。
【００１６】
ドラム支持枠４８とヘッドベース３５との対向面に位置決め構造が設けられていると、近接位置へ移動した状態の露光ヘッド１０を、位置基準となる感光ドラム９に対して適正に位置決めすることができる。従って、露光ヘッド１０が離間位置と近接位置との間を移動するヘッド移動構造であるにも拘らず、露光ヘッド１０と感光ドラム９との位置関係を常に適正な状態に維持して、感光ドラム９に対する潜像の形成を的確に行うことができる。
【００１７】
トナー容器１３と、トナー容器１３を収容するシャーシ２０との間に、第１係合体６０と第２係合体６１とからなる保持構造が設けられていると、両係合体６０・６１の係合状態を解除しない限りは、トナー容器１３の装填状態を保持し続けることができる。また、トナー容器１３で押込み操作されたスライド枠２２の姿勢を維持して、露光ヘッド１０を近接位置に保持し続けることができる。従って、メンテナンスのためにドア６が開放されるごとに、露光ヘッド１０が近接位置から離間位置へ移動するなど、ヘッド移動構造が不必要に作動するのを防止でき、ヘッド移動構造を構成する摺動部品の損耗を抑止できる。
【図面の簡単な説明】
【００１８】
【図１】本発明に係る画像形成装置のヘッド移動構造の平面図である。
【図２】本発明に係る画像形成装置（複合機）の正面図である。
【図３】画像形成部の概略構造を示す正面図である。
【図４】露光ヘッドが離間位置にある状態のヘッド移動構造の平面図である。
【図５】図４におけるＡ−Ａ線断面図である。
【図６】図８におけるＢ−Ｂ線断面図である。
【図７】位置決め構造の詳細を示す一部破断平面図である。
【図８】露光ヘッドが近接位置にある状態のヘッド移動構造の平面図である。
【図９】トナー容器の装填状態を保持する保持構造を示す縦断側面図である。
【図１０】ヘッド移動構造の別の実施例を示す平面図である。
【図１１】ヘッド移動構造のさらに別の実施例を示す平面図である。
【図１２】ヘッド移動構造のさらに別の実施例を示す平面図である。
【発明を実施するための形態】
【００１９】
（実施例）  図１から図９は本発明に係る画像形成装置のヘッド移動構造を、コピー機能とファクシミリ機能とを備えた複合機に適用した実施例を示す。なお、本発明における前後、左右、上下とは、図２および図４に示す交差矢印と、各矢印の近傍に表記した前後、左右、上下の表示に従う。
【００２０】
図２において複合機は、本体部１の上側に配置される画像読取部２と、本体部１の一側寄りに配置される画像形成部３と、画像形成部３の下方に配置した給紙カセット４などを備えている。画像読取部２には、固定原稿読取装置と、プラテンカバー５に組込まれて枚葉状の原稿を連続して読取る自動原稿読取装置とが設けられている。
【００２１】
画像形成部３は、記録部と定着部とで構成する。記録部は、トナーカートリッジ７と、現像ユニット８と、感光ドラム９に対して静電潜像を形成する露光ヘッド１０および帯電デバイス１１と、転写ローラ１２などで構成する。トナーカートリッジ７の前端には廃トナーボックス（トナー容器）１３が設けられている（図１参照）。定着部は、熱源を備えている加熱ローラ１５と、加熱ローラ１５へ向かって付勢される加圧ローラ１６などで構成する。給紙カセット４から送給された記録紙は、搬送路１７を介して記録部へ送給され、感光ドラム９と転写ローラ１２との間を通過する間にトナーが転写され、さらに加熱ローラ１５と加圧ローラ１６との間を通過する間にトナーが定着される。画像が定着された記録紙は、画像読取部２の下方の排紙部１８へ排出される。
【００２２】
トナーカートリッジ７および廃トナーボックス１３と、現像ユニット８は、画像形成部３の前面を覆う前部ドア６を開放することにより、本体部１に設けたそれぞれの装着部に対して、機体前方から前後方向へスライドさせながら着脱することができる。前部ドア（ドア）６は、その下端部に配置したヒンジで開閉可能に支持されて、画像形成部３の前面を起立した状態で覆う閉じ姿勢と、本体部１の前方へ傾動して画像形成部３の前面を開放する開放姿勢とに姿勢変更できる。閉じ姿勢にした前部ドア６は、本体部１に設けたロック構造でロック保持されており、ロック構造をロック解除操作することにより開放操作できる。
【００２３】
トナーカートリッジ７および廃トナーボックス１３の着脱動作に連動して、露光ヘッド１０を感光ドラム９の周面に近接する近接位置と、感光ドラム９から遠ざかる離間位置との間で変位させるために、感光ドラム９の近傍の一側にヘッド移動構造が設けられている。図３および図４において、ヘッド移動構造は、シャーシ２０に固定される固定枠２１と、固定枠２１で前後にスライド自在に支持されるスライド枠２２を備えている。さらに、ヘッド移動構造は、固定枠２１でスライド枠２２と直交する向きへスライド可能に支持されるヘッド支持枠２３と、動作変換を行うカム構造と、スライド枠２２を押込み操作する操作体２７などを備えている。この実施例では、廃トナーボックス１３を操作体２７として利用している。
【００２４】
固定枠２１は、感光ドラム９へ向かって開口する四角箱状のプラスチック成形品からなり、その前端壁および後端壁のそれぞれに、先のヘッド支持枠２３を左右にスライド自在に案内するヘッド案内溝２４が形成されている。また、前端壁側のヘッド案内溝２４に隣接して、スライド枠２２を出退自在に案内するスライド窓２５が開口され、さらに、固定枠２１の左側壁の上下に、スライド枠２２を前後にスライド自在に案内する枠案内溝２６が形成されている（図５参照）。
【００２５】
ヘッド支持枠２３は、感光ドラム９へ向かって開口するハウジング２８と、ハウジング２８の上隅から上向きに突設されるカムベース２９と、これら両者２８・２９の前後端に設けられるスライド腕３０を一体に備えている。スライド腕３０は、先のヘッド案内溝２４に支持されて左右方向へスライド移動できる。前後のスライド腕３０とヘッド案内溝２４との間には、それぞれヘッド支持枠２３を感光ドラム９から離れる向きに移動付勢する圧縮コイル形の第１ばね３１が配置されている。ハウジング２８の内部に露光ヘッド１０を組込むことにより、露光ヘッド１０がヘッド支持枠２３と一体化してある。
【００２６】
露光ヘッド１０は、屈折率分布型のロッドレンズの一群で構成される前後に長いレンズアレイ３３と、ＬＥＤ光源３４と、これら両者３３・３４を支持するヘッドベース３５で構成する。レンズアレイ３３は、画像読取部２で読込んだ画像データに基づいて、ＬＥＤ光源３４から照射された光を感光ドラム９の表面に結像して静電潜像を形成する。ヘッドベース３５を先のハウジング２８で左右にスライド自在に案内することにより、露光ヘッド１０はヘッド支持枠２３に同行して、近接位置と離間位置との間を往復移動できる。ヘッドベース３５とハウジング２８の内奥との間の前後２個所には、圧縮コイル形の第３ばね３６が配置してあり（図４参照）、これらのばね３６で露光ヘッド１０は感光ドラム９へ向かって進出する向きに付勢されている。露光ヘッド１０の進出限界を規定するために、ハウジング２８の前後端にストッパー壁３７が設けられている。
【００２７】
スライド枠２２は断面が逆Ｅ字状の枠体からなり、その前後２個所の左側面に上下一対のスライド爪３９が設けられており、さらに両スライド爪３９の間の枠上面にばね掛止片４０が一体に設けられている（図１参照）。スライド枠２２には、固定枠２１の側壁内面に沿って摺動するスライドリブ３８が設けられている（図５参照）。枠案内溝２６でスライド爪３９を案内し、さらにスライドリブ３８を先の側壁内面で案内することにより、スライド枠２２は、感光ドラム９の中心軸線と平行な向きに前後にスライドして、前方の待機位置と後方の作動位置との間を安定した状態で移動できる。スライド枠２２を待機位置へ向かって移動付勢するために、固定枠２１の側壁の内面に設けたばね掛止片４１と、先のばね掛止片４０との間に引っ張りコイル形の第２ばね４２を掛止している（図１参照）。スライド枠２２の前端は受動部４３になっており、トナーカートリッジ７および廃トナーボックス１３が本体部１の内部に装填されるとき、廃トナーボックス１３によって押込み操作される。その詳細は後述する。
【００２８】
スライド枠２２の前後方向のスライド動作を左右方向のスライド動作に変換してヘッド支持枠２３に伝えるために、スライド枠２２とヘッド支持枠２３のカムベース２９との対向面にカム構造が設けられている。図４においてカム構造は、スライド枠２２の側に突設される前後一対の操作カム４５と、カムベース２９の側に突設される前後一対の受動カム４６とで構成される。操作カム４５が等脚台形状に形成されているのに対し、受動カム４６は頂部が丸められた三角形状に形成されている。離間位置において操作カム４５と受動カム４６が占めるスペースを小さくするために、両カム４５・４６は互違いに配置されている。詳しくは、離間位置における操作カム４５の突端をカムベース２９に近接に配置し、離間位置における受動カム４６の突端は操作カム４５の基底部に連続するスライド枠２２で受止められる状態で、互違いに配置されている。
【００２９】
スライド枠２２を第２ばね４２の付勢力に抗して後向きに押込み操作すると、受動カム４６の突端が操作カム４５の斜面部分で感光ドラム９の側へ徐々に押込まれ、ヘッド支持枠２３が第１ばね３１の付勢力に抗して近接位置へ向かって移動する。そして図８に示すように、受動カム４６の突端が操作カム４５の平坦な突端面に乗上がった状態では、ヘッド支持枠２３は近接位置に切換わっており、露光ヘッド１０のレンズアレイ３３は、ごく僅かな隙間を介して感光ドラム９の周面と対向している。
【００３０】
上記の近接位置において、露光ヘッド１０を感光ドラム９を位置基準にして前後、左右、上下に位置決めするために、感光ドラム９を支持するドラム支持枠４８とヘッドベース３５との対向面の前後に、位置決め構造が設けられている。位置決め構造は、位置決め軸５１と位置決めボス５２とで構成する。図７に示すように位置決め軸５１には、位置決めピン５３と第１位置決め座５４が設けられており、位置決めボス５２には、位置決めピン５３と係合する位置決め穴５５と第２位置決め座５６とが設けられている。この実施例では、位置決め軸５１をドラム支持枠４８に設け、位置決めボス５２をヘッドベース３５に設けた。位置決めピン５３と位置決め穴５５とが係合し、さらに、第１、第２の両位置決め座５４・５６が接合することにより、露光ヘッド１０を適正に位置決めすることができる。
【００３１】
スライド枠２２、カム構造、およびヘッド支持枠２３などの集積誤差の影響を避けて位置決めするために、ヘッドベース３５をハウジング２８でスライド自在に支持し、露光ヘッド１０を第３ばね３６で感光ドラム９へ向かって進出する向きに付勢している。例えば、先の各部材の集積誤差によって、露光ヘッド１０の位置が標準位置より感光ドラム９の側へ突出していた場合には、レンズアレイ３３と感光ドラム９との対向距離が小さくなってしまい、静電潜像を正しく結像できなくなる。しかし、先に説明したように、位置決め構造で、ヘッドベース３５をドラム支持枠４８に対して位置決めすると、第１、第２の両位置決め座５４・５６が接合することで、レンズアレイ３３と感光ドラム９の対向間隔を常に適正なものとすることができる。また、集積誤差があったとしても、位置決めされた露光ヘッド１０に対してヘッド支持枠２３がスライド移動することで、集積誤差を吸収することができる。さらに、スライド枠２２が乱暴に押込み操作されるような場合に、ヘッド支持枠２３が露光ヘッド１０に対して相対スライドすることで衝撃を吸収できる利点もある。
【００３２】
トナーカートリッジ７および廃トナーボックス１３を、現像ユニット８の左側部および前部の装填位置へ差込み装填した状態を保持するために、廃トナーボックス１３とシャーシ２０との間に保持構造が設けられている。図９に示すように保持構造は、廃トナーボックス１３の上面に設けられる第１係合体６０と、シャーシ２０の側に設けられる第２係合体６１とで構成する。
【００３３】
第１係合体６０は、廃トナーボックス１３と一体に形成した片持ち梁状の弾性アーム６２と、弾性アーム６２の上面に突設した係合突起６３と、弾性アーム６２の突端の解除部６４を一体に備えている。係合突起６３は、上面側から見てＥ字状に形成されており、その前壁の前面が第２係合体６１と係合する。第２係合体６１は上面側から見て門形のリブからなり、その前側の係合壁６５が係合突起６３と係合して、廃トナーボックス１３の前方移動を規制する。トナーカートリッジ７および廃トナーボックス１３を取外す場合には、前部ドア６を開放したのち、解除部６４を押下げて弾性アーム６２の全体を下向きに弾性変形させ、係合突起６３と係合壁６５との係合を解除して、両係合体６０・６１を分離できる状態にし、この状態を維持したままで廃トナーボックス１３を前方へ引出す。
【００３４】
廃トナーボックス１３（操作体２７）を装填位置から取外した状態では、スライド枠２２は第２ばね４２で復帰操作されて、図１および図４に示す待機位置へ移動している。このとき、スライド枠２２の受動部４３は、廃トナーボックス１３が占めていた装着領域へ進出しており、ヘッド支持枠２３および露光ヘッド１０は離間位置に位置している。
【００３５】
次に、新規なトナーカートリッジ７および廃トナーボックス１３を、装填位置へ装填するときのヘッド移動構造の動作について説明する。図１に示すように廃トナーボックス１３を装填位置へ装填する状態では、その後側の壁面が受動部４３に正対した状態でスライド枠２２へと接近する。また、廃トナーボックス１３が装填ストロークの終端寄りまで装填されると、廃トナーボックス１３の後側の壁面が受動部４３に接当して、スライド枠２２を第２ばね４２の付勢力に抗して後向きに押込み操作する。この押込み動作に連動して、受動カム４６が操作カム４５で徐々に押込まれるため、ヘッド支持枠２３は第１ばね３１の付勢力に抗して近接位置へ向かって移動する。さらに、廃トナーボックス１３を装填ストロークの終端まで押込んだ状態では、図８に示すように受動カム４６の突端が操作カム４５の平坦な突端面に乗上がって、ヘッド支持枠２３および露光ヘッド１０が近接位置に切換わった状態となる。
【００３６】
露光ヘッド１０が近接位置へ切換わるのに並行して、位置決めピン５３と位置決め穴５５とが係合して、露光ヘッド１０を前後、および上下に位置決めする。さらに第１、第２の位置決め座５４・５６が接当して、露光ヘッド１０を感光ドラム９に対して左右方向に位置決めする。また、廃トナーボックス１３に設けた第１係合体６０の弾性アーム６２が、第２係合体６１の係合壁６５の下面を弾性変形しながらくぐり抜けたのち、係合突起６３が第２係合体６１のリブ内面に進入して係合壁６５と係合し、廃トナーボックス１３を固定する。
【００３７】
以上のように構成したヘッド移動構造によれば、固定枠２１、スライド枠２２、ヘッド支持枠２３と、動作変換を行うカム構造および操作体２７などでヘッド移動構造を構成するので、従来のヘッド移動構造に比べて、部品点数を減少して全体構造を簡素化できる。また、全ての構成部品を予め固定枠２１に組付けてユニット化できるので、従来のヘッド移動構造に比べて組立の手間を軽減でき、先のように構造を簡素化できることも相俟って、全体としてヘッド移動構造の製造に要するコストを削減できる。さらに、固定枠２１に対して他の構成部品を集約するので、ヘッド移動構造がシャーシ２０の内部において占有する空間量を小さくできる。また、スライド枠２２の前後のスライド動作を、カム構造で左右方向のスライド動作に変換して、ヘッド支持枠２３を左右方向へスライド移動させるので、動作方向の変更を１回で行なうことができ、その分だけ信頼性を向上できる。因みに、従来の伝動構造では、前部ドアの開閉動作を、操作突起と動作アーム、およびワイヤーとガイドプーリで変向したのち、押圧レバーを介して露光ヘッドへ伝動するので、動作方向を変向する回数が多く、その分だけ故障する可能性が高い。
【００３８】
図１０から図１２は、それぞれヘッド移動構造の別の実施例を示す。なお、これらの別実施例においては、先に説明した実施例と異なる部分を主に説明して、先に説明した実施例と同じ部材には同じ符号を付して、その説明を省略する。
【００３９】
図１０に示すヘッド移動構造においては、開閉自在に支持した前部ドア６を操作体２７に利用して、スライド枠２２を押込み操作できるようにした。そのために、前部ドア６の内面に操作突起６７を設け、前部ドア６が閉じ操作されるとき、操作突起６７でスライド枠２２を押込み操作して、露光ヘッド１０を近接位置へ移動操作できるようにした。前部ドア６の内部には、感光ドラム９、露光ヘッド１０、廃トナーボックス１３などが配置してあり、前部ドア６を開放操作することにより、これらの機器の交換あるいは点検などを行うことができる。
【００４０】
図１１に示すヘッド移動構造においてはカム構造の一部を変更した。詳しくは、操作カム４５および受動カム４６のそれぞれを斜面カムで形成して、両カム４５・４６の傾斜するカム面同士が常に接触する状態で、ヘッド支持枠２３および露光ヘッド１０を離間位置から近接へと移動できるようにした。
【００４１】
図１２に示すヘッド移動構造においては、スライド枠２２に設けた左右方向に長い溝カム（操作カム）４５と、溝カム４５の前後方向のスライド動作を左右動作に変換するレバー６９とで動作変換を行うようにした。そのために、レバー６９の中途部を、固定枠２１に設けたレバー軸７０で前後揺動可能に支持し、その一端のレバー腕７１を先の溝カム４５に係合し、他端のレバー腕７２をヘッド支持枠２３に設けた受動溝７３に係合した。受動溝７３は、前後方向の長溝で形成した。このヘッド移動構造では、スライド枠２２を押込み操作してヘッド支持枠２３を離間位置から近接位置へと移動させる場合に、離間位置の近傍でのヘッド支持枠２３の移動量が大きく、近接位置に近づくほどヘッド支持枠２３の移動量が小さくなる。従って、位置決め軸５１と位置決めボス５２による位置決めを、ゆっくりと的確に行える。
【００４２】
上記の各実施例において、スライド枠２２を後方へ向かって押込み操作する操作体２７としては、廃トナーボックス１３に換えてトナーカートリッジ（トナー容器）７を利用することができ、あるいは現像ユニット（トナー容器）８を利用することができる。
【００４３】
上記の実施例では、スライド枠２２の前後方向のスライド動作を、カム構造でヘッド支持枠２３の左右方向のスライド動作に動作変換したが、その必要はなく、ヘッド支持枠２３はスライド枠２２の前後のスライド方向と直交する向きへスライド可能に支持することができる。例えば、ヘッド支持枠２３を斜めに傾斜する状態で支持して、そのスライド方向を感光ドラム９の中心に向かって指向させ、スライド枠２２の前後方向のスライド動作を、ヘッド支持枠２３の斜めの往復スライド動作に変換することができる。
【００４４】
ドア６は前部ドアである必要はなく、露光ヘッド１０に面して設けられるドアであれば、本体部１の側面、あるいは後面に設けてあるドアであってもよい。また、操作カム４５および受動カム４６の外形形状は、必要に応じて自由に変更できるので、実施例で説明した構造には限定しない。操作体２７は、本体部１に設けた専用のレバー、あるいはハンドルであってもよい。
【符号の説明】
【００４５】
９  感光ドラム
１０  露光ヘッド
１３  廃トナーボックス（トナー容器）
２０  シャーシ
２１  固定枠
２２  スライド枠
２３  ヘッド支持枠
２７  操作体
３１  第１ばね
４２  第２ばね
４３  受動部
４５  操作カム
４６  受動カム
４８  ドラム支持枠
【図１】
0005867711.tif 000002
【図２】
0005867711.tif 000003
【図３】
0005867711.tif 000004
【図４】
0005867711.tif 000005
【図５】
0005867711.tif 000006
【図６】
0005867711.tif 000007
【図７】
0005867711.tif 000008
【図８】
0005867711.tif 000009
【図９】
0005867711.tif 000010
【図１０】
0005867711.tif 000011
【図１１】
0005867711.tif 000012
【図１２】
0005867711.tif 000013